(57)【要約】 【課題】フォトディテクタ回路及びフロントモニタフォトディテクタ回路において前記ディスク反射光に対応した信号の書き込みパワー期間のサンプリングに際して、パルストレイン書き込み方式を用いる場合でも、前記信号のサンプリングを精度良く且つ安定に行うこと。【解決手段】レーザー光を記録媒体に照射して得られる反射光を電気信号に変換し、この電気信号をサンプリングしてホールドする際に、レーザー光が書き込みパワーで出射している期間にはスイッチ２１をオンしてサンプル対象の前記電気信号を抵抗２２とコンデンサ２３で平均化してサンプルホールドすることにより、サンプルタイミングのずれ無くサンプリングを精度良く且つ安定に行うことができ、ＲＷ記録媒体に対する高倍速信号記録を精度良く且つ安定に行うことができる。【選択図】図２
2005135528.tif 000002
【特許請求の範囲】
【請求項１】
信号により変調されたレーザー光を記録媒体に照射することによって前記信号を前記記録媒体に書き込む光ディスク装置において、
前記レーザー光を記録媒体に照射して得られる反射光を電気信号に変換する変換手段と、
前記変換手段により得られた電気信号をサンプリングしてホールドするサンプルホールド手段と、
前記サンプルホールド手段により得られたサンプルホールド信号を次段の信号処理回路に伝送する伝送手段とを具備し、
前記サンプルホールド手段は、前記レーザー光が書き込みパワーで出射している期間にサンプルホールドする書き込みモードのサンプルホールド回路と、
前記レーザー光がバイアスパワーで出射している期間にサンプルホールドするバイアスモードのサンプルホールド回路とを有し、
且つ、前記書き込みモードのサンプルホールド回路は、前記レーザー光が書き込みパワーで出射している期間にはサンプル対象の前記電気信号を平均化してサンプルホールドすることを特徴とする光ディスク装置。
【請求項２】
信号により変調されたレーザー光を記録媒体に照射することによって前記信号を前記記録媒体に書き込む光ディスク装置において、
前記レーザー光を記録媒体に照射して得られる反射光を電気信号に変換する第１の変換手段と、
前記出射光の一部を電気信号に変換する第２の変換手段と、
前記第１の変換手段により得られた電気信号をサンプリングしてホールドする第１のサンプルホールド手段と、
前記第２の変換手段により得られた電気信号をサンプリングしてホールドする第２のサンプルホールド手段と、
前記第１、第２のサンプルホールド手段により得られたサンプルホールド信号を次段の信号処理回路に伝送する伝送手段と、
を具備することを特徴とする光ディスク装置。
【請求項３】
前記第１のサンプルホールド手段は、前記レーザー光が書き込みパワーで出射している期間にサンプルホールドする第１のサンプルホールド回路と、前記レーザー光がバイアスパワーで出射している期間にサンプルホールドする第２のサンプルホールド回路とを具備することを特徴とする請求項２記載の光ディスク装置。
【請求項４】
前記第１のサンプルホールド回路は、前記レーザー光が書き込みパワーで出射している期間にはサンプル対象の前記電気信号を平均化してサンプルホールドすることを特徴とする請求項３記載の光ディスク装置。
【請求項５】
前記第１のサンプルホールド回路は、書き込み対象記録媒体の種類により、前記レーザー光が書き込みパワーで出射している期間にサンプル対象の前記電気信号を平均化するか否か選択して切り換えることを特徴とする請求項４記載の光ディスク装置。
【請求項６】
前記第２のサンプルホールド手段は、前記レーザー光が書き込みパワーで出射している期間にサンプルホールドする第３のサンプルホールド回路と、前記レーザー光がバイアスパワーで出射している期間にサンプルホールドする第４のサンプルホールド回路とを具備することを特徴とする請求項２記載の光ディスク装置。
【請求項７】
前記第３のサンプルホールド回路は、前記レーザー光が書き込みパワーで出射している期間にはサンプル対象の前記電気信号を平均化してサンプルホールドすることを特徴とする請求項６記載の光ディスク装置。
【請求項８】
前記第３のサンプルホールド回路は、書き込み対象記録媒体の種類により、前記レーザー光が書き込みパワーで出射している期間にサンプル対象の前記電気信号を平均化するか否か選択して切り換えることを特徴とする請求項６記載の光ディスク装置。
【請求項９】
前記第１、第２の変換手段は、いずれも光電変換素子と、電流電圧変換手段とを具備することを特徴とする請求項２記載の光ディスク装置。
【請求項１０】
前記第１の変換手段と、前記第２の変換手段と、前記第１のサンプルホールド手段と、前記第２のサンプルホールド手段とを少なくとも一体にして集積回路化することを特徴とする請求項２記載の光ディスク装置。
【請求項１１】
前記伝送手段はフレキシブルケーブルを有することを特徴とする請求項１又は２記載の光ディスク装置。
【請求項１２】
信号により変調されたレーザー光を記録媒体に照射することによって前記信号を前記記録媒体に書き込む光ディスク装置において、
前記レーザー光を記録媒体に照射して得られる反射光を電気信号に変換する第１の変換手段と、
前記出射光の一部を電気信号に変換する第２の変換手段と、
前記第１の変換手段により得られた電気信号をサンプリングしてホールドする第１のサンプルホールド手段と、
前記第２の変換手段により得られた電気信号をサンプリングしてホールドする第２のサンプルホールド手段と、
前記第１、第２のサンプルホールド手段により得られたサンプルホールド信号を次段の信号処理回路に伝送する第１の伝送手段と、
前記第１、第２の変換手段により得られる電気信号をそれぞれ差動信号に変換して前記次段の信号処理回路に伝送する第２の伝送手段と、
を具備することを特徴とする光ディスク装置。
【請求項１３】
前記次段の信号処理回路の入力手段が前記サンプルホールド信号を入力する入力回路を有する第１の入力インターフェースであった場合は、前記第１の伝送手段と前記第１の入力インターフェースを接続し、前記次段の信号処理回路の入力手段が前記差動信号を入力する入力回路と、この入力回路により入力された信号をサンプリングしてホールドするサンプルホールド回路とを有する第２の入力インターフェースであった場合は、前記第２の伝送手段と前記第２のインターフェースを接続することを特徴とする請求項１２記載の光ディスク装置。
【発明の詳細な説明】
【技術分野】
【０００１】
本発明は、ＣＤＲやＤＶＤＲ等の光ディスク（記録媒体）に書き込み可能な光ディスク装置に係り、特にレーザーパワーが書き込みモードからバイアスモードに移行する際の制定時間の短縮化に関する。
【背景技術】
【０００２】
従来よりＣＤＲ、ＤＶＤＲドライブでは、光ピックアップに内蔵されているフォトディテクタ回路やフロントモニタフォトディテクタ回路により得られる半導体レーザーのディスク反射光に対応した光電変換信号は、図８（Ａ）に示すような形であるが、通常フレキシブルケーブルを通してＲＦ信号処理回路に伝送される（例えば特許文献１参照）。
【０００３】
ＲＦ信号処理回路はフレキシブルケーブルを通して入力される光電変換信号に基づいて例えばサーボ信号やＡＰＣ制御信号などを算出する。サーボ信号を算出するには半導体レーザーがバイアスパワーで発光している期間の光電変換信号（図８（Ａ）のローレベル期間）をサンプリングすることが必要である。しかし、記録倍速が増大するとサンプリング期間が短くなるため、書き込み期間の光電変換信号がバイアス期間（図８（Ａ）のローレベル期間）の光電変換信号に移行する際の信号の静定時間を短くする必要がある。
【特許文献１】特開平１１−５３７５３号公報  （第５頁、第１図）
【発明の開示】
【発明が解決しようとする課題】
【０００４】
しかしながら、上記したフレキシブルケーブルは電気的には分布定数線路として動作し、また１５０ＭＨｚ付近にピークを持つ周波数特性を有している。それ故、静定時間を短くするためにフロントモニタフォトディテクタ回路の出力のスルーレートを上げても、図８（Ｂ）に示すようにバイアス期間の光電変換信号（ローレベル期間）のバイアスパワー部分に発生するリンギング５０が大きくなるだけで静定時間はかえって悪化してしまう。
【０００５】
またスルーレートをあげる事はフレキシブルケーブルの容量成分や後段のＲＦ信号処理回路の入力容量等の負荷容量を短時間でチャージする事を意味しているので、フォトディテクタ回路やフロントモニタフォトディテクタ回路の終段に流す回路電流を大きくしなければならない事を意味し、消費電力の増大を招き、パッケージの許容する消費電力を超えてしまうため、その意味でも静定時間を短くする事はできない。そのため、書き込みパワーからバイアスパワーへの静定時間は１０ｎｓ台から短くする事は非常に難しく、これでは、記録倍速が大きくなった場合に対処できなくなり、サーボの精度が悪化し、場合によってはトラッキングサーボが掛けられなくなってしまうという問題があった。
【０００６】
そこで、フォトディテクタ回路やフロントモニタフォトディテクタ回路内にサンプルホールド回路を装備して光電変換信号をサンプルホールドすることによりその振幅を小さくし、このサンプルホールド信号を伝送する方法が考えられる。しかし、ＲＷ（書き換え型）メディア（記録媒体）書き込み時にはパルストレイン書き込みを行うので、図９に示すように光電変換信号の書き込み期間は非常に短いパルスが複数生じるが、このパルスのハイレベル部分を最適なレーザーパワーを求めるためのＯＰＣ（Optimum Power Control）制御や絶対アドレスの取得のためにサンプリングを行なう。しかし、記録倍速が大きくなった場合に、このサンプリングのタイミングのずれによって、パルスのハイレベル部分を旨くサンプリングすることができなくなり、サンプリング出力が不安定で最適レーザーパワー制御が安定して掛けられなかったり、取得されるアドレスの精度が悪化し、書き込みが不安定になるなどの問題があった。
【０００７】
また、上記のようにフォトディテクタ回路及びフロントモニタフォトディテクタ回路からサンプルホールド信号を後段のＲＦ信号処理回路に伝送する構成が好ましいが、ＲＦ信号処理回路の種類によってはサンプリング出力の受け入れ可能なもの、差動出力しか受け付けないものなどの各種のインターフェースを持つものがあるため、サンプルホールド信号を出力するフォトディテクタ回路やフロントモニタフォトディテクタ回路の汎用性が制限されるという問題があった。
【０００８】
本発明は前記事情に鑑み案出されたものであって、本発明の目的は、記録倍速数が大きくなっても消費電力の増大無しに、フォトディテクタ回路及びフロントモニタフォトディテクタ回路からレーザー光のディスク反射光に対応した信号情報をフレキシブルケーブルを用いてＲＦ信号処理回路に波形変形無く伝送して各種信号処理を精度良く且つ安定に行うことができるようにすると共に、特にフォトディテクタ回路及びフロントモニタフォトディテクタ回路において前記ディスク反射光に対応した信号の書き込みパワー期間のサンプリングに際して、パルストレイン書き込み方式を用いる場合でも、前記信号のサンプリングを精度良く且つ安定に行うことができるようにして円滑な書き込みを可能とし、さらに、サンプル信号を出力するフォトディテクタ回路やフロントモニタフォトディテクタ回路の汎用性を向上させることができる光ディスク装置を提供することにある。
【課題を解決するための手段】
【０００９】
本発明は上記目的を達成するために、信号により変調されたレーザー光を記録媒体に照射することによって前記信号を前記記録媒体に書き込む光ディスク装置において、前記レーザー光を記録媒体に照射して得られる反射光を電気信号に変換する変換手段と、前記変換手段により得られた電気信号をサンプリングしてホールドするサンプルホールド手段と、前記サンプルホールド手段により得られたサンプルホールド信号を次段の信号処理回路に伝送する伝送手段とを具備し、前記サンプルホールド手段は、前記レーザー光が書き込みパワーで出射している期間にサンプルホールドする書き込みモードのサンプルホールド回路と、前記レーザー光がバイアスパワーで出射している期間にサンプルホールドするバイアスモードのサンプルホールド回路とを有し且つ、前記書き込みモードのサンプルホールド回路は、前記レーザー光が書き込みパワーで出射している期間にはサンプル対象の前記電気信号を平均化してサンプルホールドすることを特徴とする。
【００１０】
このように本発明の光ディスク装置では、信号書き込み時のディスク記録媒体の倍速数が大きい場合で、ＲＷ記録媒体にパルストレイン書き込みを行う場合、前記レーザー光が書き込みパワーで出射している期間に前記変換手段から出力されるパルスの周期は非常に短くなるが、前記レーザー光が書き込みパワーで出射している期間にはサンプル対象の前記電気信号を平均化してサンプルホールドすることにより、サンプルタイミングのずれ無くサンプルすることができ、ＲＷ記録媒体に対する高倍速信号記録を精度良く且つ安定に行うことができる。
【００１１】
また、本発明は、信号により変調されたレーザー光を記録媒体に照射することによって前記信号を前記記録媒体に書き込む光ディスク装置において、前記レーザー光を記録媒体に照射して得られる反射光を電気信号に変換する第１の変換手段と、前記出射光の一部を電気信号に変換する第２の変換手段と、前記第１の変換手段により得られた電気信号をサンプリングしてホールドする第１のサンプルホールド手段と、前記第２の変換手段により得られた電気信号をサンプリングしてホールドする第２のサンプルホールド手段と、前記第１、第２のサンプルホールド手段により得られたサンプルホールド信号を次段の信号処理回路に伝送する伝送手段とを具備することを特徴とする。
【００１２】
このように本発明の光ディスク装置では、例えばフォトディテクタ回路内にある第１のサンプルホールド手段はレーザー光の記録媒体反射光に対応する電気信号をサンプルホールドして振幅を小さくし、得られた振幅の小さいサンプル信号をフレキシブルケーブルなどの伝送手段を通して次段のＲＦ信号処理回路内の信号処理回路に伝送する。それ故、フォトディテクタ回路内でのサンプリング時の書き込みパワーからバイアスパワーへの静定時間はフレキシブルケーブルを駆動する必要が無いため、初段のスルーレートを上げて十分に短くすることができ、記録倍速が大きくなった場合にも精度の良いサンプリングを行うことができるので、安定で精度の良いサンプルホールド信号をＲＦ信号処理回路に伝送できる。これにより、ＲＦ信号処理回路内の各種信号処理を精度の良く且つ安定に行ってフォーカスサーボやトラッキングサーボなどを安定に掛けることができる。同時に、例えばフロントモニタフォトディテクタ回路内にある第２のサンプルホールド手段により得られた振幅を小さくしたサンプル信号をフレキシブルケーブルなどの伝送手段を通して次段のＲＦ信号処理回路内の信号処理回路に伝送する。それ故、フロントモニタフォトディテクタ回路内でのサンプリング時の書き込みパワーからバイアスパワーへの静定時間はフレキシブルケーブルを駆動する必要が無いため、初段のスルーレートを上げて十分に短くすることができ、記録倍速が大きくなった場合にも精度の良いサンプリングを行うことができる。それ故、精度の良い且つ安定なサンプルホールド信号をＲＦ信号処理回路に伝送でき、安定で精度の良いレーザー光の自動パワー制御等を行うことができる。
【００１３】
また、本発明は、信号により変調されたレーザー光を記録媒体に照射することによって前記信号を前記記録媒体に書き込む光ディスク装置において、前記レーザー光を記録媒体に照射して得られる反射光を電気信号に変換する第１の変換手段と、前記出射光の一部を電気信号に変換する第２の変換手段と、前記第１の変換手段により得られた電気信号をサンプリングしてホールドする第１のサンプルホールド手段と、前記第２の変換手段により得られた電気信号をサンプリングしてホールドする第２のサンプルホールド手段と、前記第１、第２のサンプルホールド手段により得られたサンプルホールド信号を次段の信号処理回路に伝送する第１の伝送手段と、前記第１、第２の変換手段により得られる電気信号をそれぞれ差動信号に変換して前記次段の信号処理回路に伝送する第２の伝送手段とを具備することを特徴とする。
【００１４】
このように本発明の光ディスク装置では、フォトディテクタ回路やフロントフォトディテクタ回路にサンプルホールド信号を伝送する第１の伝送手段を備えると共に、差動信号を伝送する第２の伝送手段を備えることにより、次段の信号処理回路の入力インターフェースがサンプルホールド信号を入力できるタイプでも、差動信号を入力できるタイプのいずれであっても、フォトディテクタ回路及びフロントフォトディテクタ回路を例えばフレキシブルケーブルを用いて次段の信号処理回路に接続することができ、フォトディテクタ回路及びフロントフォトディテクタ回路の汎用性を向上させることができる。
【発明の効果】
【００１５】
本発明によれば、信号書き込み時のディスク記録媒体の倍速数が大きい場合で、例えばＲＷ記録媒体にパルストレイン書き込みを行う場合、レーザー光が書き込みパワーで出射している期間にＲＷ記録媒体の反射光を光電変換して得られる電気信号の周期が非常に短くなるが、フォトディテクタ回路及びフロントモニタフォトディテクタ回路にて前記電気信号を平均化してサンプルホールドすることにより、サンプルタイミングがずれていない精度の良いサンプルホールド信号を次段の信号処理回路に伝送することができ、次段の信号処理回路における信号処理を精度良く安定に行うことができ、これによりパルストレイン書き込み方式による高倍速信号記録を安定に行うことができる。
また、フォトディテクタ回路及びフロントモニタフォトディテクタ回路にて前記記録媒体の反射光を光電変換して得られる電気信号をサンプルホールドしてその振幅を小さくし、このサンプルホールド信号を次段の信号処理回路に伝送することにより、伝送手段としてフレキシブルケーブルを用いても前記反射光の正確な光電変換情報を次段の処理回路に伝送することができる。しかも、フォトディテクタ回路及びフロントモニタフォトディテクタ回路でのサンプリング時の書き込みパワーからバイアスパワーへの静定時間はフレキシブルケーブルを駆動する必要が無いため、初段のスルーレートを上げて十分に短くすることができるため、記録倍速が大きくなった場合にも精度の良いサンプリングを行うことができる。それ故、サンプルホールド信号をＲＦ信号処理回路に波形変形など無く伝送することができるので、記録倍速数が大きくなっても消費電力の増大無く、次段のＲＦ信号処理回路における信号処理を安定で精度良く行って、円滑な書き込み動作を行うことができる。
また、フォトディテクタ回路及びフロントフォトディテクタ回路に次段の信号処理回路にサンプルホールド信号を伝送する第１の伝送手段を備えると共に、差動信号を伝送する第２の伝送手段を備えることにより、次段の信号処理回路の入力インターフェースがサンプルホールド信号を入力できるタイプでも、差動信号を入力できるタイプのいずれでも、例えばフレキシブルケーブルを用いて次段の信号処理回路を接続することができ、フォトディテクタ回路及びフロントフォトディテクタ回路の汎用性を向上させることができる。
【発明を実施するための最良の形態】
【００１６】
レーザー光が照射された記録媒体からの反射光を光電変換して得られる電気信号をサンプルホールドし、このサンプルホールド信号を次段の信号処理回路に伝送する、またレーザー光が書き込みパワーで出射している期間にＲＷ記録媒体の反射光を光電変換して得られる電気信号を平均化してサンプルホールドし、このサンプルホールド信号を次段の信号処理回路に伝送する、さらにフォトディテクタ回路及びフロントフォトディテクタ回路に次段の信号処理回路にサンプルホールド信号を伝送する第１の伝送手段を備えると共に、差動信号を伝送する第２の伝送手段を備えることによって容易に実現した。
【実施例１】
【００１７】
図１は、本発明の第１の実施の形態に係る光ディスク装置の構成を示したブロック図である。光ディスク装置は、対物レンズ１、ビームスプリッタ（ＢＳ）２、集光レンズ３、４、半導体レーザー（ＬＤ）５、半導体レーザー５を駆動するレーザー駆動回路（ＬＤＤ）６、フォトディテクタ回路（ＰＤＩＣ）７、フロントモニタフォトディテクタ回路（ＦＰＤＩＣ）８、ＲＦ信号処理回路９、デジタルシグナルプロセッサ（ＤＳＰ）１０、コントローラ１１を有して構成されている。
【００１８】
フォトディテクタ回路７は、フォトディテクタ（ＰＤ）７１、電流電圧変換器（Ｉ／Ｖ）７２、サンプルホールド回路（Ｓ／Ｈ）７３、７４を有している。フロントモニタフォトディテクタ回路８は、フォトディテクタ（ＰＤ）８１、電流電圧変換器（Ｉ／Ｖ）８２、サンプルホールド回路（Ｓ／Ｈ）８３、８４を有している。ＲＦ信号処理回路９はＯＰＣ９１、ウォブル・アドレス検出回路（ＷＯＢＢＬＥ・ＡＤＤＲＥＳＳ）９２、サーボ信号生成回路（ＳＥＲＶＯ）９３、ＲＦ信号生成回路（ＲＦ）９４、自動出射パワー制御回路（ＡＰＣ）９５を有している。デジタルシグナルプロセッサ１０は、サーボ回路１０１、信号処理回路１０２、デコーダ１０３、書き込みストラテジ・タイミング発生回路１０４、エンコーダ１０５を有している。但し、特許請求の範囲の記録媒体は光ディスク１００に相当し、変換手段はフォトディテクタ７１、電流電圧変換器７２、フォトディテクタ８１、電流電圧変換器８２に相当し、サンプルホールド手段はサンプルホールド回路７３、７４、８３、８４に相当し、信号処理回路はＲＦ信号処理回路９に相当し、書き込みモードのサンプルホールド回路はサンプルホールド回路７３、８３に相当し、バイアスモードのサンプルホールド回路はサンプルホールド回路７４、８４に相当し、第１の変換手段はフォトディテクタ７１、電流電圧変換器７２に相当し、第２の変換手段はフォトディテクタ８１、電流電圧変換器８２に相当し、第１のサンプルホールド手段はサンプルホールド回路７３、７４に相当し、第２のサンプルホールド手段はサンプルホールド回路８３、８４に相当し、第１のサンプルホールド回路はサンプルホールド回路７３に相当し、第２のサンプルホールド回路はサンプルホールド回路７４に相当し、第３のサンプルホールド回路はサンプルホールド回路８３に相当し、第４のサンプルホールド回路はサンプルホールド回路８４に相当し、光電変換素子はフォトディテクタ７１、８１に相当し、電流電圧変換手段は電流電圧変換器７２、８２に相当する。
【００１９】
図２はサンプルホールド回路７３、８３、７４、８４の構成を示した回路図である。サンプルホールド回路７３、８３は図２（Ａ）に示したようなに、スイッチ２１、抵抗２２、コンデンサ２３で構成され、抵抗２２とコンデンサ２３で積分回路を構成している。サンプルホールド回路７４、８４は図２（Ｂ）に示したような、スイッチ２４、コンデンサ２５で構成されている。
【００２０】
次に本実施の形態のディスク書き込み動作について説明する。コントローラ１１は、書き込みデータ２００をエンコーダ１０５に出力する。エンコーダ１０５は書き込みデータ２００をエンコードし、このエンコードした書き込みデータ２０１を書き込みストラテジ・タイミング発生回路１０４に出力する。書き込みストラテジ・タイミング発生回路１０４は書き込みデータ２０１に応じた書き込みパルスを発生し、この書き込みパルスをレーザー駆動回路６に出力する。
【００２１】
レーザー駆動回路６はバイアスパワー出力に乗せて書き込みパルスに応じたパワーの増減を行ない、この変調されたレーザー光をビームスプリッタ２、対物レンズ１を通して光ディスク１００上に集光してデータを書き込む。その際、光ディスク１００により反射されたレーザー光はビームスプリッタ２により分岐され、一方はフォトディテクタ回路７のフォトディテクタ７１に入力され、他方はフロントモニタフォトディテクタ回路８のフォトディテクタ８１に入力される。
【００２２】
フォトディテクタ回路７のフォトディテクタ８１はレーザー光を受光して対応する電流に変換し、電流電圧変換器７２はそれを電圧に変換して受光信号としてサンプルホールド回路７３、７４に出力する。サンプルホールド回路７３、７４は受光信号をサンプルホールドし、ＲＦ信号処理回路９にフレキシブルケーブル（図示せず）を通して伝送する。
【００２３】
同様に、フロントモニタフォトディテクタ回路８のフォトディテクタ８１はレーザー光を受光して対応する電流に変換し、電流電圧変換器８２はそれを電圧に変換してパワーモニタ信号としてサンプルホールド回路８３、８４に出力する。サンプルホールド回路８３、８４はパワーモニタ信号をサンプルホールドし、ＲＦ信号処理回路９にフレキシブルケーブル（図示せず）を通して伝送する。
【００２４】
ここで、フォトディテクタ回路７で用いられるサンプルホールド回路７３、７４の動作について図２を参照して説明する。図２（Ａ）に示すようにサンプルホールド回路７３のスイッチ２１はコントローラ１１の書き込みストラテジ・タイミング発生回路１０４から発生されるサンプル信号３０１により、図４に示した受光信号の書き込み期間ＷＴでオンされ、バイアス期間ＢＴではオフされる。ここで、ＲＷメディア書き込みにおけるパルストレイン書き込み方式では、受光信号４００は書き込み期間ＷＴで、細かいパルス信号の繰り返しとなるが、これらパルスは抵抗２２とコンデンサ２３により平均化され、コンデンサ２３には４０１に示すような、前記複数の細かいパルスの平均化されたレベルがホールドされることになる。
【００２５】
図２（Ｂ）に示すようにサンプルホールド回路７４のスイッチ２４はコントローラ１１の書き込みストラテジ・タイミング発生回路１０４から発生されるサンプル信号３０２により、受光信号のバイアス期間ＢＴでオンされ、書き込み期間ＷＴではオフされる。したがって、図４の受光信号４００のバイアス期間ＢＴにおける信号レベルがコンデンサ２５にホールドされることになる。
【００２６】
尚、フロントモニタフォトディテクタ回路８で用いられるサンプルホールド回路８３はフォトディテクタ回路７で用いられるサンプルホールド回路７３と同一構成であり、パワーモニタ信号の書き込み期間の平均レベルをホールドする。また、サンプルホールド回路８４はサンプルホールド回路７４と同一構成であり、パワーモニタ信号のバイアス期間における信号レベルがコンデンサ２５にホールドされることになる。
【００２７】
フォトディテクタ回路７のサンプルホールド回路７３でホールドされた信号はフレキシブルケーブルを通してＲＦ信号処理回路９のＯＰＣ９１とウォブル・アドレス検出回路９２に伝送され、サンプルホールド回路７４でホールドされた信号はフレキシブルケーブルを通してウォブル・アドレス検出回路９２とサーボ信号生成回路９３とＲＦ信号生成回路９４に伝送される。読み出し信号の周波数特性やレベルなどを整形して、ＲＦ信号を生成する。
【００２８】
フロントモニタフォトディテクタ回路８のサンプルホールド回路８３でホールドされた信号はフレキシブルケーブルを通してＲＦ信号処理回路９のＡＰＣ９５に伝送され、サンプルホールド回路８４でホールドされた信号をフレキシブルケーブルを通して同ＡＰＣ９５に伝送する。
【００２９】
ＲＦ信号処理回路９のＯＰＣ９１は受光信号の書き込み期間のレベルに基づいて半導体レーザー５の最適記録出力レベルを求め、これをＡＰＣ９５に設定する。ＡＰＣ９５は書き込み期間とバイアス期間のパワーモニタ信号のレベルに基づいて半導体レーザー５の出射パワーを設定値とする制御を行う。
【００３０】
サーボ信号生成回路９３は受光信号のバイアス期間のサンプル信号より各種サーボ信号を算出して、これらサーボ信号をデジタルシグナルプロセッサ１０のサーボ回路１０１に出力する。サーボ回路１０１は、入力されたサーボ信号に基づいて図示されないアクチュエータを駆動するサーボ信号を発生し、これをアクチュエータに出力する。これにより、フォトディテクタ回路７、フロントモニタフォトディテクタ回路８及び光学系（半導体レーザー５、ビームスプリッタ２、対物レンズ１など）から構成される光ピックアップのトラッキング制御やフォーカス制御などが行われる。
【００３１】
ウォブル・アドレス検出回路９２は、受光信号の書き込み期間とバイアス期間のサンプル信号に基づいて絶対アドレスを求める。コントローラ１１は現在データを書き込んでいる光ディスク１００の場所を上記求められた絶対アドレスに基づいて常にモニタし、所定の場所にデータが書きこまれない場合は、サーボ回路１０１を制御して再書き込みなどの制御を行う。また、コントローラ１１はエンコーダ１０５、デコーダ１０３及びサーボ回路１０１のオンオフ制御や装置全体の制御をしており、操作パネル（図示せず）などのインターフェースから入力されるユーザ指示を装置動作に反映したり、装置の状態などを操作パネルのディスプレイに表示したりする制御を行う。
【００３２】
また、光ディスク１００の再生時、ＲＦ信号生成回路９４にはフォトディテクタ回路７のサンプルホールド回路７４とフロントモニタフォトディテクタ回路８のサンプルホールド回路８４から信号が入力される。フォトディテクタ回路７のＲＦ信号生成回路９４は入力される信号の周波数をイコライズしたりレベルを整形してＲＦ信号とし、これをデジタルシグナルプロセッサ１０の信号処理回路１０２に出力する。信号処理回路１０２はＲＦ信号を２値化して読み出しデータとし、これをデコーダ１０３に出力する。デコーダ１０３は読み出しデータをデコードしてユーザーデータとし、これをコントローラ１１に出力する。その時のサーボ信号生成回路９３やサーボ回路１０１の動作は書き込み時と同様である。また、ＡＰＣ９５はサンプルホールド回路８４から入力される信号に基づいて半導体レーザー出射パワーを所定の一定値に制御する。
【００３３】
本実施の形態によれば、フォトディテクタ回路７及びフロントモニタフォトディテクタ回路８では受光信号及びパワーモニタ信号をサンプリングし、サンプルホールド信号を次段のＲＦ信号処理回路９にフレキシブルケーブルを通して送っているため、フォトディテクタ回路７及びフロントモニタフォトディテクタ回路８内でのサンプリング時の書き込みパワーからバイアスパワーへの静定時間はフレキシブルケーブルを駆動する必要が無いため、初段のスルーレートを上げて十分に短くすることができ、記録倍速が大きくなった場合にも精度の良いサンプリングを行うことができるので、安定で精度の良いサンプルホールド信号をＲＦ信号処理回路９に伝送できる。これにより、ＲＦ信号処理回路９内の各種信号処理を精度の良く且つ安定に行うことができ、記録倍速が大きくても、円滑なデータの書き込みを行うことができる。
【００３４】
また、ＲＷメディアの書き込みにおけるパルストレイン書き込み方式に対しては、フォトディテクタ回路７のサンプルホールド回路７３とフロントモニタフォトディテクタ回路８のサンプルホールド回路８３において、書き込み期間の信号のサンプリングを行う時に、書き込み期間のレベルを平均化してサンプルホールドし、これをフレキシブルケーブルを通してＲＦ信号処理回路９に出力しているため、記録倍速数が大きくても、書き込み期間のサンプリングタイミングがずれることが無くなり、半導体レーザー５のパワー制御及び光ピックアップのトラッキング制御など各種制御を安定で精度のよく行うことができ、データの書き込みを円滑に行うことができる。
【００３５】
ところで、Ｒ（追記型）メディアに対する書き込みでは、パルストレイン書き込み方式を行わないため、パワーモニタ信号の書き込み期間のサンプリング時に正確なＯＰＣ信号を得るためにはパルスの後端側の正確にサンプリングした方が良い。そのため、上記のようなパワーモニタ信号の平均化を行う必要は無い、そこで、フォトディテクタ回路７のサンプルホールド回路７３とフロントモニタフォトディテクタ回路８のサンプルホールド回路８３の回路構成を図３に示すように構成し、ＲＷメディア書き込み時にはスイッチ２６をオフ、スイッチ２１をオンにして、図２（Ａ）と同一の回路とする。Ｒメディア書き込み時にはスイッチ２６をオン、スイッチ２１をオフにして、通常のサンプルホールド回路とし、パワーモニタ信号を平均化せずにサンプリングすることで対応することができる。なお、スイッチ２１、２６の上記したオンオフ制御は書き込みストラテジ・タイミング発生回路１０４により行われるものとする。
【実施例２】
【００３６】
図５は、本発明の第２の実施の形態に係る光ディスク装置の構成を示したブロック図である。但し、第１の実施の形態と同一の部分には同一符号を用い且つ、その説明を適宜省略する。
【００３７】
本実施の形態の光ディスク装置は、フォトディテクタ回路７とフロントモニタフォトディテクタ回路８をひとつのフロントモニタ／フォトディテクタ回路１２に一体に集積化して、ひとつのＩＣにしたところが図１に示した第１の実施の形態と異なるところであり、他の構成は第１の実施の形態と同一で同様の効果があるが、特に、フォトディテクタ回路７とフロントモニタフォトディテクタ回路８をひとつのＩＣとしたことにより、省スペース及び省電力効果がある。
【実施例３】
【００３８】
図６は、本発明の第３の実施の形態に係る光ディスク装置の要部の構成を示したブロック図である。但し、第１の実施の形態と同一の部分には同一符号を用い且つ、その説明を適宜省略する。本実施の形態はフロントモニタフォトディテクタ回路１３の構成を示したもので、図１に示した第１の実施の形態のフロントモニタフォトディテクタ回路８に相当する。このフロントモニタフォトディテクタ回路１３は第１の実施の形態と同様にフォトディテクタ（ＰＤ）８１、電流電圧変換器（Ｉ／Ｖ）８２、サンプルホールド回路（Ｓ／Ｈ）８３、８４を有し、さらに電流電圧変換器８２の出力信号を差動出力にする差動出力回路８５を有している。
【００３９】
次に本実施の形態の動作について説明する。図示されないＲＦ信号処理回路側が第１の実施の形態で示したのと同様にサンプルホールド信号を入力できる入力インターフェースを持っている場合は、サンプルホールド回路８３、８４の出力側とＲＦ信号処理回路の入力とを図１の場合と同様にフレキシブルケーブルで接続する。
【００４０】
しかし、ＲＦ信号処理回路側がサンプルホールド信号を入力できる入力インターフェースを持ってなく、図７に示すように、差動信号を差動増幅器９６で入力し、得られた信号をサンプルホールドするサンプルホールド回路（Ｓ／Ｈ）９７、９８を持っている時は、フロントモニタフォトディテクタ回路１３の差動出力回路８５の出力側とＲＦ信号処理回路１４の入力側とをフレキシブルケーブルで接続する。これにより、電流電圧変換器８２の出力信号のサンプリングをしないでそのままＲＦ信号処理回路１４に伝送することになる。
【００４１】
本実施の形態によれば、フロントモニタフォトディテクタ回路１３はＲＦ信号処理回路９が持っている入力インターフェースに応じてサンプルホールド信号或いは差動信号を出力できるため、フレキシブルケーブルで接続できるＲＦ信号処理回路の種類を増加させることができ、フロントモニタフォトディテクタ回路１３の汎用性を向上させることができる。
【００４２】
尚、図示していないがフォトディテクタ回路についても、上記したフロントモニタフォトディテクタ回路１３と同様の構成にして、サンプルホールド信号と、差動信号が出力されるようにしておけば、同様の効果がある。
【００４３】
また、上記のような構成のフォトディテクタ回路及びフロントモニタフォトディテクタ回路を１チップに集積化することができ、図２に示した第２の実施の形態と同様の効果がある。
【００４４】
尚、本発明は上記実施の形態に限定されることなく、その要旨を逸脱しない範囲において、具体的な構成、機能、作用、効果において、他の種々の形態によっても実施することができる。
【図面の簡単な説明】
【００４５】
【図１】本発明の第１の実施の形態に係る光ディスク装置の構成を示したブロック図である。
【図２】図１に示したサンプルホールド回路７３（８３）、７４（８４）の構成を示した回路図である。
【図３】図１に示したサンプルホールド回路７３（８３）の他の構成例を示した回路図である。
【図４】図１に示した電流電圧変換回路７２（８２）から出力される書き込み時の信号波形例を示した図である。
【図５】本発明の第２の実施の形態に係る光ディスク装置の構成を示したブロック図である。
【図６】本発明の第３の実施の形態に係る光ディスク装置の要部の構成を示したブロック図である。
【図７】本発明の第３の実施の形態に係るＲＦ信号処理回路の構成を示したブロック図である。
【図８】従来のフレキシブルケーブルを通過した際の信号の変形例を示した波形図である。
【図９】従来のパルストレイン書き込み方式時の書き込み期間中のパワーモニタ信号例を示した波形図である。
【符号の説明】
【００４６】
１……対物レンズ、２……ビームスプリッタ（ＢＳ）、３、４……集光レンズ、５……半導体レーザー（ＬＤ）、６……レーザー駆動回路（ＬＤＤ）、７……フォトディテクタ回路（ＰＤＩＣ）、８、１３……フロントモニタフォトディテクタ回路（ＦＰＤＩＣ）、９、１４……ＲＦ信号処理回路、１０……デジタルシグナルプロセッサ（ＤＳＰ）、１１……コントローラ、１２……フロントモニタ／フォトディテクタ回路（ＦＰＤＩＣ）、２１、２４、２６……スイッチ、２２……抵抗、２３、２５……コンデンサ、７１、８１……フォトディテクタ（ＰＤ）、７２、８２……電流電圧変換器（Ｉ／Ｖ）、７３、７４、８３、８４、９７、９８……サンプルホールド回路（Ｓ／Ｈ）、８５……差動出力回路、９１……ＯＰＣ、９２……ウォブル・アドレス検出回路（ＷＯＢＢＬＥ・ＡＤＤＲＥＳＳ）、９３……サーボ信号生成回路（ＳＥＲＶＯ）、９４……ＲＦ信号生成回路（ＲＦ）、９５……自動出射パワー制御回路（ＡＰＣ）、１０１……サーボ回路、１０２……信号処理回路、１０３……デコーダ、１０４……書き込みストラテジ・タイミング発生回路、１０５……エンコーダ。
【図１】
2005135528.tif 000003
【図２】
2005135528.tif 000004
【図３】
2005135528.tif 000005
【図４】
2005135528.tif 000006
【図５】
2005135528.tif 000007
【図６】
2005135528.tif 000008
【図７】
2005135528.tif 000009
【図８】
2005135528.tif 000010
【図９】
2005135528.tif 000011